(57)【特許請求の範囲】
【請求項１】
正面および背面にスリット状の一対の開口部が設けられた筐体と、
前記筐体内部に設けられて一対の前記開口部を連通するカード通路と、
前記カード通路に設けられて磁気ストライプまたはＩＣチップの少なくとも一方の記憶媒体を有するカードを搬送する搬送手段と、
前記カード通路に設けられ前記搬送手段により搬送された前記カードの前記記憶媒体に対してデータの読み取りを含むデータ処理を行うデータ処理部と、
決済金額を入力する決済金額入力手段と、
正面側または背面側のいずれの前記開口部から挿入されたカードであっても、前記決済金額入力手段により入力された決済金額と前記データ処理部が読み取ったデータとに基づいて電子的決済を実行する電子的決済実行手段と、
前記搬送手段による前記カードの搬送方向を正面側から背面側または背面側から正面側のいずれか一方に選択的に設定する搬送方向設定手段と、
を具備し、前記搬送方向設定手段は、前記電子的決済実行手段が実行する電子的決済の種類に応じて前記搬送手段による前記カードの搬送方向を設定する、カード処理装置。
【請求項２】
前記電子的決済実行手段が実行する電子的決済の種類に対応付けて前記搬送手段による前記カードの搬送方向を記憶する搬送方向記憶手段を具備し、
前記搬送方向設定手段は、前記搬送方向記憶手段が記憶する前記搬送方向に基づいて前記搬送手段による前記カードの搬送方向を設定する請求項１記載のカード処理装置。
【請求項３】
前記搬送方向記憶手段が記憶する前記搬送方向は、前記カードを前記開口部から前記データ処理部へ搬送する挿入方向と、前記カードを前記データ処理部から前記開口部へ搬送する排出方向とである請求項２記載のカード処理装置。
【請求項４】
データを入力するための入力手段と、
前記入力手段により入力されるデータに基づいて前記挿入方向記憶手段が記憶する前記搬送方向を変更する搬送方向変更手段と、
を具備する請求項２又は３記載のカード処理装置。
【請求項５】
請求項１ないし４いずれか一に記載のカード処理装置と、
前記カード処理装置に対して商品データに基づいて実行した販売処理データを送信する販売データ処理手段と、
を具備するカード決済システム。
【発明の詳細な説明】
【０００１】
【発明の属する技術分野】
本発明は、カード処理装置およびカード決済システムに関する。
【０００２】
【従来の技術】
今日、現金の代わりに決済手段として機能する各種カード(クレジットカード、デビットカード決済に用いられるキャッシュカード、電子マネーを具備するＩＣカード、ポイントカード等)による電子的決済が、広く利用されてきている。
【０００３】
カードによる電子的決済では、取引に際して小銭を取り扱う必要がなくなるため、顧客・店舗の双方にとって大きなメリットが生じ、今後急速に普及していく見込みである。
【０００４】
このような電子的決済処理に際して、カードに記憶されたデータを読み取る従来のカード処理装置では、カードの挿入／排出のための開口部が、顧客側または店員側のいずれか一方に向けて開口するように設けられている。このようなカード処理装置は、カード処理装置におけるカードの挿入／排出が一方側のみで許容されるため、一般的に、店舗毎の運用形態にあわせて一方向に向けて開口するように設置される。
【０００５】
例えば、上述したクレジット決済に際して、顧客から受け取ったクレジットカードを店員がカード処理装置(あるいは、決済端末)に挿入し、サインの確認等全ての処理が終了した時点で顧客に返却する場合、運用上の都合から、上述したカード処理装置は、店員側に向けて設置される。このため、店員は、カードデータ読み取り前後に、必ずカードを取り扱うこととなる。
【０００６】
また、例えば、従来では、図１１に示すように、ＰＯＳ端末１００と、カードが有するＩＣチップに記憶されたデータを読み取る決済端末１０１と、顧客の操作による暗証番号の入力を受け付けるカードリーダ１０２とによって構成されるカード決済システム１０３によって、カードによる電子的決済を実行することがある。
【０００７】
【発明が解決しようとする課題】
ところで、カード処理装置を店員側に向けて設置することより、サインの確認の不要なデビットカード決済に際しても、同様にして、顧客から一旦キャッシュカードを受け取り、決済が終了した時点で顧客に返却する運用形態となり、カードデータ読み取り前後に、店員が必ずカードを取り扱うこととなる。しかし、デビットカード決済等のように、店員がカードに触れなくても決済を完了することができる電子的決済では、電子的決済処理における信頼性の面からは、店員がなるべくカードに触れない方が望ましい。
【０００８】
この点、図１１に示すカード決済システム１０３では、カードリーダ１０２がある程度移動可能となって、顧客がカードを挿入することもできるので、店員がカードに触れなくても電子的決済を完了することができるが、カードリーダ１０２を決済端末１０１に接続して使用することにより、より広い設置スペースを必要とする。
【０００９】
これに対して、電子的決済処理の信頼性の向上を図るとともに設置スペースの問題を解消するために、カードに記憶されるデータの種類に応じて、カード処理装置の設置方向を変えて決済を行うようにすることが考えられるが、作業が煩雑となり、実用性に劣る。
【００１０】
本発明は、例えば、電子的決済の種類に応じて設置方向を変えるといった煩雑な作業を行うことなく、運用形態に適した各種電子的決済を実行することができるカード処理装置およびカード決済システムを得ることを目的とする。
【００１１】
【課題を解決するための手段】
本発明のカード処理装置は、正面および背面にスリット状の一対の開口部が設けられた筐体と、前記筐体内部に設けられて一対の前記開口部を連通するカード通路と、前記カード通路に設けられて磁気ストライプまたはＩＣチップの少なくとも一方の記憶媒体を有するカードを搬送する搬送手段と、前記カード通路に設けられ前記搬送手段により搬送された前記カードの前記記憶媒体に対してデータの読み取りを含むデータ処理を行うデータ処理部と、決済金額を入力する決済金額入力手段と、正面側または背面側のいずれの前記開口部から挿入されたカードであっても、前記決済金額入力手段により入力された決済金額と前記データ処理部が読み取ったデータとに基づいて電子的決済を実行する電子的決済実行手段と、前記搬送手段による前記カードの搬送方向を正面側から背面側または背面側から正面側のいずれか一方に選択的に設定する搬送方向設定手段と、を具備し、前記搬送方向設定手段は、前記電子的決済実行手段が実行する電子的決済の種類に応じて前記搬送手段による前記カードの搬送方向を設定する。
【００１２】
したがって、正面および背面の双方向からカードの挿入が可能になる。
【００１３】
【発明の実施の形態】
本発明の第一の実施の形態について図１ないし図９を参照して説明する。本実施の形態は、カード処理装置として決済端末への適用例を示す。
【００１４】
図１は本発明の第一の実施の形態の決済端末を正面側から見た状態を示す斜視図、図２は背面側から見た状態を示す斜視図、図３はその縦断側面図である。決済端末１は、箱型のボトムカバー２と、ボトムカバー２の上側に設けられるトップカバー３とによって構成される本体ケーシング４を有している。図１中手前側を正面とすると、決済端末１は、正面を顧客側に向けるようにして配設される。
【００１５】
本体ケーシング４の正面には、水平方向に長いスリット形状を有して、本体ケーシング４の内側と外側とを連通し、カードＣが挿入／排出される正面連通口５が設けられている。カードＣは、後述するカード決済処理に際して用いられて、記憶媒体としてのＩＣチップ６０(図７参照)を有している。
【００１６】
なお、図１では、ＩＣチップ６０のみを有するカードＣについて説明したが、これに限るものではなく、例えば、記憶媒体として磁気ストライプとＩＣチップ６０とを有するハイブリッド型カードを用いてもよい。
【００１７】
本体ケーシング４の背面には、水平方向に長いスリット形状を有して、本体ケーシング４の内側と外側とを連通する背面連通口６が設けられている。正面連通口５および背面連通口６は、本体ケーシング４の設置面に対して、同じ高さで平行になるように設けられている。
【００１８】
詳細については後述するが、本実施の形態の決済端末１は、正面連通口５および背面連通口６を介した双方向からのカードＣの挿入／排出が可能な構成になっている。
【００１９】
本体ケーシング４の正面には、正面連通口５の近傍に、カードＣの挿入方向を案内するイラスト７が設けられている。イラスト７は、カードＣに付されている矢印等のマークが示す方向と同方向に挿入するように、カードＣの挿入方向を案内する。本体ケーシング４の背面連通口６の近傍にも、同様に、カードＣの挿入方向を案内するイラスト８が設けられている。イラスト８は、カードＣに付されている矢印等のマークが示す方向と反対方向に挿入するようにカードＣの挿入方向を案内する。
【００２０】
また、本体ケーシング４の背面連通口６の近傍には、店員等のオペレーターによる操作を受け付けるオペレータースイッチ９や、点灯や点滅等によって決済端末における動作状態を示すＬＥＤ１０が設けられている。後述するカード決済処理に際しては、オペレータースイッチ９の操作により、クレジット決済、デビットカード決済または電子マネー決済のいずれの電子的決済処理を実行するかを宣言することができる。そして、後述するカード決済処理に際しては、いずれの電子的決済処理を実行するかに応じて、カードＣの挿入方向／排出方向が設定される。
【００２１】
本実施の形態のオペレータースイッチ９は、後述するカード決済処理の実行中に操作されることにより、いずれの電子的決済処理を実行するかに拘わらず、カードＣの挿入方向／排出方向を、一時的に変更することができる。例えば、後述するカード決済処理の実行中にオペレータースイッチ９が操作された場合のカードＣの挿入方向／排出方向を、オペレーター側に限定するように設定しておくことで、顧客が操作に不慣れであったりするためにカードＣの挿入や受け取りをオペレーターが代わって行う代理操作を行うような状況が発生した場合にも、煩雑な設定変更作業を行うことなく切替を容易に行うことができる(図６参照)。
【００２２】
本体ケーシング４の上面には、顧客等のオペレーターによる操作を受け付けるキーボード１１が設けられている。キーボード１１には、図４に示すように、「０」から「９」までの置数キー１１ａ、取消キー１１ｂ、訂正キー１１ｃ、実行キー１１ｄおよび各種ファンクションキー１１ｅ等が配列されている。後述するカード決済処理に際しては、「０」から「９」までの置数キー１１ａが操作されることにより決済金額が入力される。これにより、決済金額入力手段としての機能が実行される。また、後述する方向設定処理に際しては、キーボード１１における各種キー操作によって、カードＣの挿入／排出方向を設定することができる。これにより、入力手段としての機能が実行される。
【００２３】
本体ケーシング４の上側のキーボード１１より背面側には、図示しないフリーストッパーを介して本体ケーシング４に連結された図示しない支軸を回動中心として、本体ケーシング４に対して回動自在とされたＬＣＤ(Liquid Crystal Display)ユニット１２が設けられている。ＬＣＤユニット１２は、フリーストッパーの機能によって、上面が本体ケーシング４の上面に連続する横伏位置と、本体ケーシング４に対して起立する起立位置との間で任意の位置に位置付けられる。
【００２４】
ＬＣＤユニット１２には、ＬＣＤユニット１２が横伏位置に位置付けられている状態で上側となる面に、後述する方向設定処理に際して、設定画面１３ａ(図８参照)等が表示されるＬＣＤ１３が設けられている。
【００２５】
本体ケーシング４の内部には、リーダライタ装置１４が設けられている。リーダライタ装置１４の筐体１５には、筐体１５の内側と外側とを連通する開口部１６および開口部１７が設けられている。開口部１６および開口部１７は、それぞれ正面連通口５および背面連通口６を介して、外部に連通されている。
【００２６】
筐体１５の内側には、開口部１６と開口部１７とを連通するカード通路１８が設けられている。本実施の形態のカード通路１８は、開口部１６と開口部１７とを直線状に連通する。
【００２７】
カード通路１８には、ＩＣチップに対してデータの読み取り／書き込みを行うデータ処理部としてのリーダライタ部１９(図５参照)が設けられている。公知の技術であるため図示および説明を省略するが、リーダライタ部１９は、可搬性を有するカードＣが有するＩＣチップ６０の外部接続端子６７(ともに図７参照)に接続されることにより、ＩＣチップ６０に記憶されたデータを読み取り、ＩＣチップ６０に対してデータを書き込む接続端子を有している。リーダライタ部１９の接続端子がＩＣチップ６０の外部接続端子６７に接続可能な位置を、カードＣの接続位置とする。
【００２８】
カード通路１８には、カード通路１８を間にして対向する２対のローラ対２１，２２が設けられている。一方のローラ対２１はリーダライタ部１９よりも開口部１６側に設けられており、他方のローラ対２２はリーダライタ部１９よりも開口部１７側に設けられている。ローラ対２２は、本体ケーシング４内に設けられたモータ２３(図５参照)によって、ローラ対２１，２２が同一方向にカードＣを搬送するように回転駆動される。
【００２９】
カード通路１８の開口部１６の近傍、および、開口部１７の近傍には、顧客側センサ２４および店員側センサ２５がそれぞれ設けられている。顧客側センサ２４および店員側センサ２５は、いずれも、光を発光する発光素子と発光素子で発光した光を受光する受光素子とによって構成される透過型光センサであり、受光素子での受光量の変化に応じて出力が変化する。
【００３０】
本体ケーシング４のボトムカバー２の内側には、メインＰＣＢ(Printed Circuit Board：プリント配線基板)２８と、サブＰＣＢ２９とが設けられている。メインＰＣＢ２８とサブＰＣＢ２９とは、互いに通信自在に接続されている。メインＰＣＢ２８、サブＰＣＢ２９には、決済端末１が備える各部を駆動制御する各種制御回路が搭載されている。
【００３１】
次に、決済端末１が備える各部の電気的接続について図５を参照して説明する。図５は、決済端末１が備える各部の電気的接続を概略的に示すブロック図である。決済端末１は、マイクロコンピュータ(Microcomputer：以下、マイコンという)３０を備えており、このマイコン３０によって決済端末１が備える各部を駆動制御する。マイコン３０は、各部を集中的に駆動制御するＣＰＵ(Central Processing Unit)３１に、アドレスバス、データバス等のバスライン３２を介して、固定的データを予め格納するＲＯＭ(Read Only Memory)３３と、可変的なデータを書き換え自在に記憶してＣＰＵ３１の作業エリアとして機能するＲＡＭ(Random Access Memory)３４とが接続されて構成されている。
【００３２】
ＲＡＭ３４には、後述するカード決済処理に際して参照されて、挿入されたカードＣを開口部１６から排出するか開口部１７から排出するかの設定を記憶する挿入方向記憶手段および排出方向記憶手段として機能する搬送方向設定ファイル３５が格納されている。搬送方向設定ファイル３５は、図６に示すように、カードＣの挿入方向／排出方向を設定する方向設定データ３６ａ，３６ｂ，３６ｃ，３６ｄ，３６ｅ，３６ｆ，３６ｇ，３６ｈを記憶する排出方向設定エリア３６と、クレジット決済、電子マネー決済、デビットカード決済のいずれかの電子的決済処理を実行するかを示す電子的決済種データ３７ａ，３７ｂ，３７ｃを記憶する電子的決済種エリア３７とを有している。電子的決済種エリア３７には、オペレーターによる代理操作を実行することを示す電子的決済種データ３７ｄも記憶されている。方向設定データ３６ａ，３６ｂ，３６ｃ，３６ｄ，３６ｅ，３６ｆ，３６ｇ，３６ｈは、カードＣの挿入方向／排出方向を、開口部１７(オペレータ)側または開口部１６(ユーザ)側かをそれぞれ設定する。各方向設定データ３６ａ，３６ｂ，３６ｃ，３６ｄ，３６ｅ，３６ｆ，３６ｇ，３６ｈは、電子的決済種データ３７ａ，３７ｂ，３７ｃ，３７ｄに対応付けられて記憶されている。図６の設定によれば、クレジット決済処理では、カードＣを、開口部１６から挿入させ、開口部１７から排出するように設定されている。同様に、電子マネー決済では、カードＣを、開口部１７から挿入させ、開口部１６から排出するように設定されている。同様に、デビットカード決済では、カードＣを、開口部１６から挿入させ、開口部１６から排出するように設定されている。加えて、図６では、上述した各種設定での操作に対して顧客が不慣れな場合等にカードの挿入や受け取りをオペレーターが代わって行う代理操作用の設定として、カードＣを、開口部１７から挿入させ、開口部１７から排出するような設定もされている。
【００３３】
搬送方向設定ファイル３５における各種電子的決済処理毎に設定されたカードＣの挿入方向／排出方向は、図６に示す設定に限るものではなく、後述する方向設定処理の実行によって、店員等のオペレーターが任意に設定する設定を変更することができる。
【００３４】
決済端末１の起動時には、ＲＯＭ３３に格納された制御プログラムがＲＡＭ３４に書き込まれる。これにより、マイコン３０による各部の駆動制御が可能な状態になる。続いて、マイコン３０によって駆動制御される各部について説明する。
【００３５】
オペレータースイッチ９は、スイッチ入力回路３８を介して、バスライン３２に接続されている。オペレータースイッチ９は、スイッチ入力回路３８の動作によって、オペレータースイッチ９が操作されたことを示す信号をマイコン３０に送信する。
【００３６】
後述するカード決済処理に際しては、カード決済処理の実行中にオペレータースイッチ９が操作されることによって、上述した排出方向設定ファイルに設定された挿入方向を一時的に変更することができる。
【００３７】
ＬＥＤ１０は、点灯制御回路３９を介して、バスライン３２に接続されている。点灯制御回路３９は、マイコン３０からの制御信号に基づいて、ＬＥＤ１０の点灯／消灯を駆動制御する。
【００３８】
キーボード１１は、キーボード入力回路４０を介して、バスライン３２に接続されている。キーボード１１は、キーボード入力回路４０の動作によって、操作されたキーに応じた信号をマイコン３０に向けて出力する。
【００３９】
ＬＣＤ１３は、表示制御回路４１を介して、バスライン３２に接続されている。ＬＣＤ１３は、マイコン３０からの表示データが、表示制御回路４１に入力されると、表示制御回路４１に駆動されて所定事項を表示する。
【００４０】
リーダライタ部１９は、リーダライタ制御回路４２を介して、バスライン３２に接続されている。リーダライタ制御回路４２は、図示しない接続端子を介して、リーダライタ部１９が読み取ったデータに応じた信号を、マイコン３０に向けて出力する。また、リーダライタ制御回路４２は、マイコン３０から出力された信号に基づいてリーダライタ部１９を駆動して、接続端子を介して、ＩＣチップ６０に所定のデータを書き込む。
【００４１】
モータ２３は、モータ駆動回路４３を介して、バスライン３２に接続されている。モータ駆動回路４３は、マイコン３０からの駆動信号に応じて、モータ２３を正逆回転駆動する。
【００４２】
顧客側センサ２４および店員側センサ２５は、センサ入力回路４４，４５を介して、それぞれバスライン３２に接続されている。センサ入力回路４４，４５は、顧客側センサ２４および店員側センサ２５からの出力信号に応じて、カードＣの挿入の有無を示す検出信号をマイコン３０に向けて出力する。
【００４３】
加えて、決済端末１は、例えば、公衆回線網４６、ＣＡＦＩＳ(Credit And Finance Information Switching System)４７等の中継センターを介して、クレジット会社や銀行等の金融機関が備えるホストコンピュータ４８との間でのデータ通信を行うための通信Ｉ／Ｆ５１を備えている。
【００４４】
加えて、本実施の決済端末１はプリンタ４９に接続して使用され、バスライン３２にはプリンタ４９との間でデータ通信を行うためのＩ／Ｆ５０を備えている。
【００４５】
次に、カードＣに設けられるＩＣチップ６０の各部の電気的接続について図７を参照して説明する。図７は、ＩＣチップ６０が備える各部の電気的接続を概略的に示すブロック図である。ＩＣチップ６０は、可搬性を有するカードＣに設けられ、マイコン６１を内蔵している。マイコン６１は、ＣＰＵ６２にバスライン６３を介して、暗証番号や制御プログラムを予め格納するＲＯＭ６４、ＲＡＭ６５、および、不揮発性の記憶部であるＥＥＰＲＯＭ６６を接続することにより構成されている。
【００４６】
ＥＥＰＲＯＭ６６には、例えば、ＩＣチップ６０の識別データであって各個人に予め割り振られたＩＤナンバーを記憶する“ＩＤナンバーデータエリア”や、電子マネーを記憶する“電子マネーデータエリア”等が確保されている。また、ＥＥＰＲＯＭ６６には、カードの所有者である顧客の口座番号や口座開設時に設定された暗証番号等の顧客データを記憶する“顧客データエリア”が確保されている。
【００４７】
バスライン６３には、決済端末１へのカードＣの挿入に際して、決済端末１のリーダライタ部１９の図示しない接続端子に接続される外部接続端子６７が接続されている。外部接続端子６７は、決済端末１のリーダライタ部１９から接続端子を介して入力された信号をバスライン６３を介してマイコン６１に入力し、マイコン６１から出力された信号をバスライン６３を介してリーダライタ部１９に対して出力する。
【００４８】
次に、ＲＯＭ３３に格納された制御プログラムに基づいてＣＰＵ３１が実行する方向設定処理について説明する。まず、店員等のオペレーターが、キーボード１１における所定のファンクションキー１１ｅを操作して、方向設定処理の実行を宣言する。
【００４９】
方向設定処理の実行が宣言されると、ＬＣＤ１３に、図８に示すような設定画面１３ａを表示させる。設定画面１３ａには、図８に示すように、カードＣの挿入方向／排出方向を設定する設定欄Ａ，Ｂ，Ｃ，Ｄ，Ｅ，Ｆ，Ｇ，Ｈが表示されている。
【００５０】
オペレーターは、各設定欄Ａ，Ｂ，Ｃ，Ｄ，Ｅ，Ｆ，Ｇ，Ｈについて、「オペレータ」または「ユーザ」に設定し、設定する毎に実行キーを操作する。
【００５１】
最下設定欄Ｆの設定が終了し、実行キーが操作されると、設定画面１３ａ上の各設定欄Ａ，Ｂ，Ｃ，Ｄ，Ｅ，Ｆ，Ｇ，Ｈに設定されたデータに基づいて、排出方向設定ファイルの方向設定データ３６ａ，３６ｂ，３６ｃ，３６ｄ，３６ｅ，３６ｆ，３６ｇ，３６ｈを更新する。ここに、方向設定処理の実行によって、搬送方向変更手段としての機能が実行される。
【００５２】
次に、ＲＯＭ３３に格納された制御プログラムに基づいてＣＰＵ３１が実行するカード決済処理について図９を参照して説明する。図９は、カード決済処理の流れを概略的に示すフローチャートである。カード決済処理の実行に際しては、店員によってオペレータースイッチ９が操作されることによりクレジット決済、デビットカード決済または電子マネー決済のいずれかの電子的決済の実行が宣言されたと判断するまで待機する(Ｓ１のＮ)。
【００５３】
ここで、本体ケーシング４の正面にはカードＣに付されている矢印等のマークと同方向に挿入することを案内するイラスト７が設けられており、本体ケーシング４の背面にはカードＣに付されている矢印等のマークと反対方向に挿入することを案内するイラスト８が設けられているため、イラスト８にしたがった方向でカードＣを挿入することにより、カードＣの搬送方向によらずリーダライタ部１９に対するＩＣチップ６０の位置を等しくすることが可能である。
【００５４】
これによって、決済端末１のいずれの開口部１６，１７からカードＣが挿入された場合にも、単一のリーダライタ部１９によってカードＣのＩＣチップ６０に記憶されたデータを読み取ることができ、決済端末１の小型化を図ることができる。
【００５５】
店員によってオペレータースイッチ９が操作されることによりクレジット決済、デビットカード決済または電子マネー決済のいずれかの電子的決済の実行が宣言されたと判断した場合には(Ｓ１のＹ)、実行を宣言された電子的決済がクレジット決済、デビットカード決済または電子マネー決済のいずれであるかを判断する(Ｓ２，Ｓ３，Ｓ４)。
【００５６】
クレジット決済の実行が宣言されたと判断した場合には(Ｓ２のＹ)、顧客側センサ２４の出力変化に基づいて、正面連通口５および開口部４６を介して、カード通路１８にカードＣが挿入されたと判断するまで待機し(Ｓ５のＮ)、カード通路１８にカードＣが挿入されたと判断すると(Ｓ５のＹ)、搬送方向設定ファイル３５を参照して、クレジット決済に対応付けて設定されている方向設定データ３６ａに基づいて、モータ駆動回路４３の動作によってモータ２３を正方向に回転駆動させる(Ｓ６)。ここで、カードＣを正面側から背面側(図３中左から右方向)へ搬送する方向にローラ対２１，２２を回転させるような、モータ２３の回転方向を正方向とする。
【００５７】
ローラ対２１，２２の回転によってカードＣをリーダライタ部１９まで搬送すると、リーダライタ制御回路４２の動作によってリーダライタ部１９を駆動制御して、ＩＣチップ６０に記憶されたデータを読み取り(Ｓ７)、ＩＣチップ６０から読み取ったデータに基づいて、クレジット決済処理を実行する(Ｓ８)。
【００５８】
公知の技術であるため説明を省略するが、ステップＳ８で実行するクレジット決済処理は、キーボード１１の操作による取引金額データの入力を待機し、ＩＣチップから読み取ったデータと入力された取引金額データとに基づいてクレジットデータを作成し、作成したクレジットデータを各種金融機関が備えるホストコンピュータ４８へ送信する。ホストコンピュータ４８では、送信されたクレジットデータに対して信用チェックや金額承認等の信用照会処理を行った後に、その照会結果データを決済端末１に送信する。決済端末１は、この照会結果データにしたがって、プリンタ４９に印字データを送信し、プリンタ４９からクレジット伝票を発行させる。店員は、発行されたクレジット伝票に顧客のサインを記入させる。
【００５９】
クレジット決済処理が終了した場合には、搬送方向設定ファイル３５を参照して、クレジット決済に対応付けて設定されている方向設定データ３６ｂに基づいて、モータ２３を正方向に回転駆動させる(Ｓ９)。
【００６０】
これにより、クレジット決済完了後には、カードＣが店員側に排出されるため、例えば、挿入した側から排出されてしまう従来の電子的決済端末で、顧客側から挿入することにより顧客側へ排出されるカードＣを店員に渡し、このカードＣに記載されたサインとクレジット伝票に記載されたサインとを見比べるといった煩雑な手順を踏むことなく、クレジット決済完了時点で直ちにサインの見比べ作業を行うことができるので、作業の効率化を図ることができる。
【００６１】
また、クレジット決済完了後に排出されたカードＣを、一旦顧客が受け取ってから店員に渡し、このカードＣを店員が決済端末に挿入するといった煩雑な手順を踏むことなくクレジット決済を開始することができるので、これによっても作業の効率化を図ることができる。
【００６２】
一方、デビットカード決済の実行が宣言されたと判断した場合には(Ｓ３のＹ)、顧客側センサの出力変化に基づいて、正面連通口５および開口部１６を介して、カード通路１８にカードＣが挿入されたと判断するまで待機し(Ｓ１０のＮ)、カード通路１８にカードＣが挿入されたと判断すると(Ｓ１０のＹ)、搬送方向設定ファイル３５を参照して、デビットカード決済に対応付けて設定されている方向設定データ３６ｃに基づいて、モータ駆動回路４３の動作によってモータ２３を正方向に回転駆動させる(Ｓ１１)。
【００６３】
ローラ対２１，２２の回転によってカードＣをリーダライタ部１９まで搬送すると、リーダライタ制御回路４２の動作によってリーダライタ部１９を駆動制御して、ＩＣチップ６０に記憶されたデータを読み取り(Ｓ１２)、ＩＣチップ６０から読み取ったデータに基づいて、デビットカード決済処理を実行する(Ｓ１３)。
【００６４】
公知の技術であるため説明を省略するが、ステップＳ１３で実行するデビットカード決済処理の実行に際しては、決済金額に関するデータに加えて、ＩＣチップ６０に記憶されたデータや顧客により入力される暗証番号等に基づいて、銀行等の金融機関との間で所定のデータ通信を行い、該当する口座の残高から決済金額を差し引く。
【００６５】
デビットカード決済処理が終了した場合には、搬送方向設定ファイル３５を参照して、デビットカード決済に対応付けて設定されている方向設定データ３６ｄに基づいて、モータ２３を逆方向に回転駆動させる(Ｓ１４)。以降、背面側から正面側へカードＣを搬送する方向にローラ対２１，２２を回転させるような、モータ２３の回転方向を逆方向とする。
【００６６】
本実施の形態の決済端末１を用いることにより、デビットカード決済に際して、顧客から店員にカードＣを渡し、このカードＣを店員が決済端末に挿入するといった煩雑な手順を踏むことなくデビットカード決済を開始することができる。
【００６７】
また、本実施の形態の決済端末１を用いることにより、デビットカード決済完了後には、カードＣを開口部１６に排出して顧客に直接返却することができるので、デビットカード決済が終了したカードＣを一旦店員が受け取り、このカードＣを顧客に返却するという煩雑な手順を踏むことなくカードＣを返却することができる。また、カードＣの返却忘れを防止することができる。
【００６８】
また、店員が不必要に長くカードＣに触れることがないので、不正防止の観点からの信頼性の向上を図ることができる。
【００６９】
また、一方で、電子マネー決済の実行が宣言されたと判断した場合には(Ｓ４のＹ)、顧客側センサ２４の出力変化に基づいて、正面連通口５および開口部１６を介して、カード通路１８にカードＣが挿入されたと判断するまで待機し(Ｓ１５のＮ)、カード通路１８にカードＣが挿入されたと判断すると(Ｓ１５のＹ)、搬送方向設定ファイル３５を参照して、電子マネー決済に対応付けて設定されている方向設定データ３６ｅに基づいて、モータ２３を正方向に回転駆動させる(Ｓ１６)。
【００７０】
ローラ対２１，２２の回転によってカードＣをリーダライタ部１９まで搬送すると、リーダライタ制御回路４２の動作によってリーダライタ部１９を駆動制御して、ＩＣチップ６０に記憶されたデータを読み取り(Ｓ１７)、ＩＣチップ６０から読み取ったデータに基づいて、電子マネー決済処理を実行する(Ｓ１８)。ここに、ステップＳ８，Ｓ１３，Ｓ１８によって電子的決済処理手段としての機能が実行される。
【００７１】
公知の技術であるため説明を省略するが、電子マネー決済では、ＩＣチップ６０に充填されている金額分の電子マネーが決済金額を上回っているか否かを判断し、電子マネーが決済金額を上回っている場合に充填されている電子マネー金額から決済金額を減算する。
【００７２】
電子マネー決済処理が終了した場合には、排出方向設定ファイルを参照して、電子マネー決済に対応付けて設定されている方向設定データ３６ｆに基づいて、モータを逆方向に回転駆動させる(Ｓ１９)。ここに、ステップＳ６，Ｓ９，Ｓ１１，Ｓ１４，Ｓ１６，Ｓ１９によって、搬送手段および搬送方向設定手段としての機能が実行される。
【００７３】
これにより、電子マネー決済が終了すると、カードＣが開口部１６、正面連通口５を介して、リーダライタ装置１４から排出されるため、電子マネー決済に際して、顧客から店員にカードＣを渡し、このカードＣを店員が決済端末に挿入するといった煩雑な手順を踏むことなく電子マネー決済を開始することができる。
【００７４】
また、電子マネー決済完了後には、カードＣを顧客側に排出して顧客に直接返却することができるので、電子マネー決済が終了したカードＣを一旦店員が受け取り、このカードＣを顧客に返却するという煩雑な手順を踏むことなくカードＣを返却することができる。また、カードＣの返却忘れを防止することができる。
【００７５】
加えて、店員が不必要に長くカードＣに触れることがないので、不正防止の観点からの信頼性の向上を図ることができる。
【００７６】
図９中では特に図示しないが、本実施の形態の決済端末１では、上述したように、電子的決済処理の実行が宣言されてから実際にカードＣが開口部１６に挿入されるまでに、オペレータースイッチ９が操作された場合には、いずれの電子的決済の実行が宣言されていたかに拘わらず、方向設定データ３６ｇ，３６ｈに基づいて、挿入方向／排出方向を一時的に変更することができるので、例えば、作業に不安がある顧客への対応時に、オペレータースイッチ９を操作することで、顧客から渡されたカードＣを、店員が開口部１７から挿入し、開口部１７から受け取ることができるので、格別な状況が発生した場合にも挿入方向／排出方向の設定を変更するような煩雑な作業を踏むことなく、挿入方向／排出方向の一時的な変更に対応することができる。また、本実施の形態では、オペレータースイッチ９の操作による挿入方向／排出方向の変更を一時的とすることにより、次回以降の電子的決済処理では通常通りの作業を行うだけでよいので、格別な状況が発生した場合に挿入方向／排出方向の設定を変更した場合にも、設定を元に戻すような作業を必要としないので、店員への負担を軽減することができる。
【００７７】
なお、本実施の形態では、ローラ対２１，２２によってカードＣを搬送するようにしたが、これに限るものではなく、例えば、カード通路１８を間にして対向するように配置したエンドレスベルトによってカードＣを搬送するようにしてもよい。
【００７８】
次に、本発明の第二の実施の形態について図１０を参照して説明する。図１０は、本発明の第二の実施の形態のカード決済システムを示す斜視図である。本実施の形態のカード決済システム７０は、ＰＯＳ端末７１とカード処理装置としての決済端末１とによって構成されている。例えば、サッカー台等を間にして対面販売を行うような店舗で、ＰＯＳ端末７１の操作を店員側から、決済端末１の操作を顧客側行うような向きで配設される。
【００７９】
公知の技術であるため説明を省略するが、ＰＯＳ端末７１は、店員等のオペレーターによって操作される複数の操作キーを有するキーボード７２や、レシート等をプリント出力するプリンタ７３、オペレーターに対して所定のデータを表示するディスプレイ７４等を有している。また、ＰＯＳ端末７１には、商品等に付された商品コードを光学的に読み取るバーコードスキャナ７５が接続されている。
【００８０】
特に図示しないが、キーボード７２には、商品コードや預かり金額等を手入力するための置数キー、商品販売処理において現金取引による締め処理を実行するための預／現計キー、カード決済処理に際して操作されるカード決済キー等の各種の操作キーがブロック毎に配列されている。キーボード７２は、置数キーの操作により各種コードを入力することが可能である。また、特に図示しないが、キーボード７２には、後述する排出口の設定に際して操作される「排出口設定」キーが設けられている。
【００８１】
決済端末１は、ケーブルＬを介して、ＰＯＳ端末７１に対してデータ通信自在に接続されており、ＰＯＳ端末７１のキーボード７２の操作によってＲＡＭ３４における排出方向設定ファイルの設定を変更することが可能な構成となっている。排出方向設定ファイルの設定は、まず、ＰＯＳ端末７１のキーボード７２の「排出方向設定」キーを操作し、ディスプレイ７４に、図８と同様の設定画面(図示せず)を表示させる。店員は、この設定画面にしたがって、上述と同様の操作により設定欄Ａ，Ｂ，Ｃ，Ｄ，Ｅ，Ｆ，Ｇ，Ｈにおける排出方向を設定し、設定が完了した時点で実行キーを操作する。ＰＯＳ端末７１は、ディスプレイ７４に設定画面を表示させている状態で預／現計キーが操作されると、設定されたデータを決済端末１に向けて出力する。
【００８２】
決済端末１は、ケーブルＬを介して、ＰＯＳ端末７１から出力されたデータを受信し、受信したデータにしたがってＲＡＭ３４の搬送方向設定ファイル３５の方向設定データ３６ａ，３６ｂ，３６ｃ，３６ｄ，３６ｅ，３６ｆ，３６ｇ，３６ｈを更新する。
【００８３】
搬送方向設定ファイル３５の設定をＰＯＳ端末７１のキーボード７２の操作によって行うことにより、大きさやキーの数が限定される決済端末１での設定作業と比較して、設定に際しての作業性を向上させることができる。
【００８４】
また、決済端末１のキーボード１１におけるキーの数を増加させる必要がないため、決済端末１の大型化を防止することができる。
【００８５】
さらに、キーの数を増加させずにＲＡＭ３４の排出方向設定エリアの設定を行うために、例えば、キーの数が少ないために同じキーを複数回操作させるといった判りづらい操作を行う必要がないので、操作性の向上を図ることができる。
【００８６】
また、カード決済システム７０におけるカードＣによる電子的決済に際しては、まず、ＰＯＳ端末７１は、キーボード７２の操作やバーコードスキャナ７５によるスキャニングによって入力された商品コードに基づいて、商品販売処理を実行する。この商品販売処理に関する決済金額を、ケーブルＬを介して、決済端末１に送信する。ここに、販売データ処理手段としての機能が実行される。
【００８７】
決済端末１は、ＰＯＳ端末７１から送信された決済金額、挿入されたカードＣに記憶されたデータ、必要に応じて入力される暗証番号等に基づいて、カード決済処理を実行する(図９参照)。なお、カード決済システム７０でのカード決済処理の実行に際しては、クレジット伝票等の各種電子的決済に際して発行される伝票は、ＰＯＳ端末７１のプリンタ７３から発行される。
【００８８】
このような構成とすることにより、従来のＰＯＳ端末７１に決済端末１を接続して使用することが可能となるので、操作性の向上を図り、汎用性をより高めることができる。
【００８９】
上記実施の形態によれば、カード処理装置は、決済金額を入力する決済金額入力手段と、決済金額入力手段により入力された決済金額と前記データ処理部が読み取ったデータとに基づいて電子的決済を実行する電子的決済実行手段と、を具備するため、正面および背面の双方向から挿入されたカードであってもこのカードの記憶媒体に記憶されたデータに基づいて電子的決済を実行することができる。
【００９０】
また、上記実施の形態によれば、カード処理装置の搬送方向設定手段は、電子的決済実行手段が実行する電子的決済の種類に応じて搬送手段によるカードの搬送方向を設定するため、電子的決済の種類に適した運用を行うことができる。
【００９１】
上記実施の形態によれば、カード処理装置は、電子的決済実行手段が実行する電子的決済の種類に対応付けて搬送手段によるカードの搬送方向を記憶する搬送方向記憶手段を具備し、搬送方向設定手段は、搬送方向記憶手段が記憶する搬送方向に基づいて搬送手段によるカードの搬送方向を設定するため、予め搬送方向を設定しておくことで、例えば、店舗毎に特殊な運用を行う場合にも、なんら制限を受けることなく、運用形態に適した方向にカードを搬送することができる。
【００９２】
加えて、上記実施の形態によれば、搬送方向記憶手段が記憶する搬送方向は、カードを開口部からデータ処理部へ搬送する挿入方向と、カードをデータ処理部から開口部へ搬送する排出方向とであるため、カードの挿入時／排出時のいずれの場合にも、運用形態に適した方向にカードを搬送することができる。
【００９３】
上記実施の形態によれば、データを入力するための入力手段と、前記入力手段により入力されるデータに基づいて前記挿入方向記憶手段が記憶する前記搬送方向を変更する搬送方向変更手段と、を具備するため、例えば、店員等のオペレーターの操作によって、挿入方向の設定を任意に変更することができる。これによって、例えば、店舗毎に特殊な運用を行う場合にも、なんら制限を受けることなく、運用形態に適した方向にカードを搬送することができる。
【００９４】
上記実施の形態によれば、カード決済システムは、カード処理装置と、カード処理装置に対して商品データに基づいて実行した販売処理データを送信する販売データ処理手段と、を具備するため、挿入／排出方向の設定作業に際しての操作性の向上を図り、汎用性をより高めることができる。
【００９５】
【発明の効果】
本発明によれば、電子的決済の種類に応じて設置方向を変えるといった煩雑な作業を行うことなく、正面または背面のいずれの開口部に挿入されたカードであっても、データ処理部へ搬送し、記憶媒体に対するデータ処理を行うことができるので、運用形態に適した各種電子的決済を実行することができる。
【図面の簡単な説明】
【図１】本発明の第一の実施の形態の決済端末を正面側から見た状態を示す斜視図である。
【図２】決済端末を背面側から見た状態を示す斜視図である。
【図３】決済端末を示す縦断側面図である。
【図４】キーボードのキー配列を示す平面図である。
【図５】決済端末が備える各部の電気的接続を概略的に示すブロック図である。
【図６】排出方向設定ファイルを示す説明図である。
【図７】ＩＣチップが備える各部の電気的接続を概略的に示すブロック図である。
【図８】設定画面を示す平面図である。
【図９】カード決済処理の流れを概略的に示すフローチャートである。
【図１０】本発明の第二の実施の形態のカード決済システムを示す斜視図である。
【図１１】従来のカード決済システムを示す斜視図である。
【符号の説明】
１…カード処理装置、１５…筐体、１６，１７…開口部、１８…カード通路、１９…データ処理部、７０…カード決済システム
【図１】
0003720821.tif 000002
【図２】
0003720821.tif 000003
【図３】
0003720821.tif 000004
【図４】
0003720821.tif 000005
【図５】
0003720821.tif 000006
【図６】
0003720821.tif 000007
【図７】
0003720821.tif 000008
【図８】
0003720821.tif 000009
【図９】
0003720821.tif 000010
【図１０】
0003720821.tif 000011
【図１１】
0003720821.tif 000012